(57)【要約】      （修正有）【課題】ゴミを出したときにその場所に持ち運んで簡単に組み立てることができ、且つ折り畳んで容易に移動できるゴミ収集ケースを提供する。【解決手段】背面体２１、当該背面体の左右に設けた側壁２３、当該背面体の上下に設けた天板２５及び底板からなる箱状のケース部２０と、前記左右の側壁からそれぞれ折り畳み及び展開可能に設けた左右の側面パネル１２，１３と、当該左右の側面パネルの前側端部間を連結した正面パネル１１とを設ける。さらに、前記左右の側面パネルを前側に直線上に展開した状態で底部を形成する底面パネル１４を前記底板に回動自在に連結し、前記左右の側面パネルを前側に直線上に展開した状態で天部を塞ぐための蓋部１５を前記天板２５に回動自在に連結する。【選択図】図２
0003166574.tif 000002
【実用新案登録請求の範囲】
【請求項１】
背面体、当該背面体の左右に設けた側壁、当該背面体の上下に設けた天板及び底板からなる箱状のケース部と、
前記左右の側壁からそれぞれ折り畳み及び展開可能に設けた左右の側面パネルと、当該左右の側面パネルの前側端部間を連結した正面パネルと、
前記左右の側面パネルを前側に直線上に展開した状態で底部を形成する底面パネルを前記底板に回動自在に連結し、
前記左右の側面パネルを前側に直線上に展開した状態で天部を塞ぐための蓋部を前記天板に回動自在に連結したことを特徴とするゴミ収集ケース。
【請求項２】
前記底板の下面部と正面パネルの下端部にキャスターを取り付けたことを特徴とする請求項１記載のゴミ収集ケース。
【請求項３】
前記天板に持ち運び用の取手部を設けたことを特徴とする請求項１又は２記載のゴミ収集ケース。
【請求項４】
前記左右の側面パネルのそれぞれ下端部内側に溝部を有し、前記底面パネルの左右端部にそれぞれ垂下片を有し、当該垂下片を前記溝部に挿入するものであることを特徴とする請求項１〜３のいずれかに記載のゴミ収集ケース。
【考案の詳細な説明】
【技術分野】
【０００１】
本考案は各家庭や飲食店等から出たゴミを収集するための折り畳み及び持ち運び可能なゴミ収集ケースに関する。
【背景技術】
【０００２】
各家庭や飲食店等から出るゴミはゴミ収集車がゴミを集めやすいように道路沿い、店先等に一時的に置くことが多い。
しかし、ゴミ収集車がゴミを引き取る前にカラスや猫、犬等の動物により散乱する場合があり、ゴミネット等をゴミ袋にかぶせて対応しているところも多い。
ところが、ゴミネットでは対策が不充分である。
一方、地区毎に金網、鉄フレーム、ＳＵＳフレーム等を用いて製作した大きなゴミ収集箱を設定し、対応しているところもある。
しかし、設置型のゴミ収集箱は常時大きなスペースを必要とするために設置場所が制限されたり、通行人の邪魔になる場合が多い。
特許文献１は折り畳み可能なゴミ収集箱を開示するが、設置型の構造である点では各家庭の近くの道路沿いや、店先に設置できるものではない。
【先行技術文献】
【特許文献】
【０００３】
【特許文献１】特開２００４−２６３４１号公報
【考案の開示】
【考案が解決しようとする課題】
【０００４】
本考案は、ゴミを出したときにその場所に持ち運んで簡単に組み立てることができ、且つ折り畳んで容易に移動できるゴミ収集ケースの提供を目的とする。
【課題を解決するための手段】
【０００５】
本考案に係るゴミ収集ケースは、背面体、当該背面体の左右に設けた側壁、当該背面体の上下に設けた天板及び底板からなる箱状のケース部と、前記左右の側壁からそれぞれ折り畳み及び展開可能に設けた左右の側面パネルと、当該左右の側面パネルの前側端部間を連結した正面パネルと、前記左右の側面パネルを前側に直線上に展開した状態で底部を形成する底面パネルを前記底板に回動自在に連結し、前記左右の側面パネルを前側に直線上に展開した状態で天部を塞ぐための蓋部を前記天板に回動自在に連結したことを特徴とする。
ここで、底板の下面部と正面パネルの下端部にキャスターを取り付けてもよく、天板に持ち運び用の取手部を設けてもよい。
また、左右の側面パネルのそれぞれ下端部内側に溝部を有し、前記底面パネルの左右端部にそれぞれ垂下片を有し、当該垂下片を前記溝部に挿入するものであってもよい。
【考案の効果】
【０００６】
本考案に係るゴミ収集ケースは、ケース部から左右の側面パネル及び正面パネルを前側に展開するのも、逆にケース部内に折り畳み収納することも容易であり、移動や持ち運びも容易である。
従って、ゴミを出さないときは折り畳んで建物の隙間等に収納、又は立て掛けて置くことができ、ゴミを出すときには組み立ててその中に入れて置くことができるので便利である。
【図面の簡単な説明】
【０００７】
【図１】左右の側面パネルを折り畳んでケース部に収納した状態を示し、（ａ）は蓋部先端側を下にし、ベルト等で固定した状態、（ｂ）は蓋部の先端側を上方に回動した状態を示す。
【図２】左右の側面パネルを前側に展開した状態を示す。
【図３】左右の側面パネルを前側に展開後、開口底部に底面パネルを回動展開した状態を示す。
【図４】底面パネルを回動展開後に蓋部で開口上部を塞いだ状態を示す。
【図５】ゴミ収集ケースの側面視を示し、（ａ）は折り畳んだ状態、（ｂ）は展開した状態を示す。
【図６】ケースの天板部分を取り外して、内部が分かるようにした説明図を示し、（ａ）〜（ｄ）の順に展開する。
【図７】底面パネルと側面パネルとの関係を示し、（ａ）は底面パネルをケース部内に起立収納した状態を示し、（ｂ）は底面パネルの左右の垂下片を側面パネルの下端部に設けた溝に挿入し、組み立てた状態を示す。
【図８】蓋部を上方に開き正面を見た状態を示す。
【考案を実施するための最良の形態】
【０００８】
本考案に係るゴミ収集ケース１０の構造例を以下図面に基づいて説明する。
図１に折り畳み収納した状態を示すようにケース部２０の内側に底面パネル１４、左右の側面パネル１２（１２ａ，１２ｂ）及び１３（１３ａ，１３ｂ）と正面パネル１１を折り畳み、蓋部１５の先端側を下側に回動垂下し、持ち運び可能になっている。
図１では必要に応じてベルト３０をベルト通し孔３１等を介して巻き付けることができるようになっているが、このベルトは必ずしも必要でない。
蓋部１５の自重にて正面パネルが前に出ないようになっているからである。
ケース部２０は図２，図５に示すように背面体２１の左右、前方側に左右の側壁２２，２３をそれぞれ設け、上下の前方側に天板２５と底板２４をそれぞれ溶接やビス止めにより設けてある。
側壁２２の前方側端部に側面パネル１２の後端を蝶番２２ｃで回動連結し、同様に側壁２３の前方側端部に側面パネル１３の後端を蝶番２３ｃで回動連結してある。
また、左右の側面パネル１２，１３の前端部は正面パネル１１の両端部と蝶番１１ｅにて回動連結してある。
また左右の側面パネル１２，１３は折り畳めるように前方パネル１２ａ，１３ａと後方パネル１２ｂ，１３ｂに分割し、その間を蝶１２ｃ，１３ｃで連結し内側に折れ曲がるようになっている。
【０００９】
前方パネル１２ａ，１３ａと後方パネル１２ｂ，１３ｂとはアルミ板製のフレーム枠１１２ａ，１１２ｂ，１１３ａ，１１３ｂに、樹脂板の両面に薄いアルミ板をはり合せた三層パネル板２１２ａ，２１２ｂ，２１３ａ，２１３ｂを固定した例になっている。
正面パネル１１もアルミ板フレーム１１ａと三層パネル板１１ｂとの組み合せにて軽量化を図っている。
正面パネル１１の左右端部は上下方向にフレーム１１ｃを連結し、その下端部にキャスター１１ｄを取り付けてある。
また、上部左右方向にもフレーム１１ｆを固定し、蓋部１５の前端部を受ける。
これにより、正面パネル１１の前進及び後退移動が容易になり、ケース部２０の底板の下面側にもキャスター２４ａを取り付け、天板２５に取手部２５ａを取り付けることで移動や持ち運びができる。
【００１０】
底板２３の前端部と底面パネル１４の後端部とは蝶番１４ｃにて連結し、図６に示すように側面パネル１２，１３を直線状態に展開した後に開口底部を塞ぐように回動できる。
この場合に底面パネル１４に取手１４ｄを取り付けて操作しやすくなっている。
また、図７に内側斜視図を示すように底面パネル１４もフレーム１４ａに三層板１４ｂを取り付けた構造になっているとともに左右の垂下片状のフレーム１４ａが左右の側面パネルの下端部内側に設けた溝部３１２ａ，３１２ｂ，３１３ａ，３１３ｂに差し込まれ、側面パネル１２，１３の展開した直線状態が維持される。
なお、図８に底面パネル１４がケース部内側に納まった状態の正面図を示す。
図２の状態から図３に示すように底面パネル１４を回動し、底面部を形成した後に図４に示すように蓋部１５を回動し、上部の開口部の蓋とすることでゴミ箱が組立完了する。
蓋部１５は後端部でケース部２０の天板２５と蝶番１５ｄで連結され、前端部に取手１５ｃを取り付けてある。
また、図２，図３に示すように蓋部１５が開いた状態を維持し、吊り上げ搬送も可能なように吊り上げ部２５ｂを設けた例になっている。
本実施例ではケース部の背面体２１，側壁２２，２３もアルミ板フレーム１４ａ，２２ａ，２３ａと三層パネル１４ｂ，２２ｂ，２３ｂで製作されているので、持ち運びできる重量１５〜２５ｋｇ以下になっているので取手２５ａだけで充分に持ち運びができる。
また、図５（ｂ）に示すように側面パネルの上辺が前方側に向けて低く傾斜した構造になっているので、折り畳み及び展開しやすくなっている。
【符号の説明】
【００１１】
１０      ゴミ収集ケース
１１      正面パネル
１２      側面パネル
１３      側面パネル
１４      底面パネル
１５      蓋部
２０      ケース部
２１      背面体
２２      側壁
２３      側壁
２４      底板
２５      天板
【図１】
0003166574.tif 000003
【図２】
0003166574.tif 000004
【図３】
0003166574.tif 000005
【図４】
0003166574.tif 000006
【図５】
0003166574.tif 000007
【図６】
0003166574.tif 000008
【図７】
0003166574.tif 000009
【図８】
0003166574.tif 000010